(57)【要約】  本発明の目的は、スキー又はスノーボードのビンディング取り付け区域及び各エッジへの力の伝達を改善すること、言い換えると、スキーの長手軸線を中心とするねじり剛性の増強及び／又はねじり変形の防止を、スキーの現在の可とう性及び寸法に手を加えず、特に現在のスキー又はスノーボードの従来の寸法を阻害する部材及び／又は従来寸法の枠外の部材を付加することなしに達成することである。本発明のスキー又はスノーボードは、関連エッジ５１，５２を含む滑り面５と下部支持モジュール６を含み、該支持モジュールが相応数の支持層６１，６２から成り、該支持層上には、関連側壁７１，７２を含むコア７が組み付けられている。一様又は浮き彫り様の支持体１００がコア７上に配置され、該コアは、単一の全体として、相応の形状の平らな建材、例えば積層品、又は原則として相応に付形された薄板金、又は相応のプレート、又は類似の平らな金属もしくは非金属の半製品で作られている。
2009501610.tif 000002
【特許請求の範囲】
【請求項１】
ねじり剛性が改良されたスキー又はスノーボード、それも、スキーの場合には、中央部（１）の上面にスキー・ビンディング取り付け用の箇所が設けられるか、又はスキー・ビンディングの調節可能な取り付け用組立体（４）の少なくとも一部が造り付けになっており、
中央部（１）の前方に位置するスキー前部（２）がショベル状部（２１）に続く一方、中央部（１）の後方に位置する後部（３）がスキー尾部（３１）に続いており、
基材に面する側に、それもエッジ（５１，５２）の間に滑り面（５）が配置され、該滑り面上には相応数の支持層（６１，６２）から成る下部支持集成体（６）が配置され、該支持集成体上にはコア（７）が配置され、該コアが、任意に関連側壁（７１，７２）及び／又は表層（９）により取り囲まれ、不都合な外的影響及び機械的損傷から保護され、
更に中央部（１）でのスキー幅（ｂ）がスキーの前部（２）及び後部（３）でより小さくされており、
またスノーボードの場合には、前記の形式に準じて構成され、既述の諸特性が考慮され、後部（３）にはスキー同様に尾部（３１）が設けられるか、又は尾部（３１）の代わりにショベル状部（３１）が付加されている形式のものにおいて、
前記スキーが、コア（７）上に一様かつ浮き彫り様形式で設けられた支持体（１００）を含み、該支持体の構成要素、すなわち外側支持区域（１０２，１０３）と、底部（１０１０）を有する相応数の各凹部（１０１）とが少なくとも２平面内に配置され、しかも、
該２平面の少なくとも一方の平面が中立曲げ軸線近く位置するか、又は該中立曲げ軸線と合致しており、他方、残りの平面又は他方の複数平面は、基材から離れる方向で中立曲げ軸線から或る距離のところに位置しており、更に
前記支持体（１００）が、スキーの前部（２）及び後部（３）に、又は同じようにスノーボードの少なくとも中央部（１）に、それぞれ少なくとも１凹部を有するように配置される一方、側部の支持区域（１０２，１０３）が、スキーの中央部（１）にも、前部（２）及び後部（３）にわたって延びるのと同様に延びていることを特徴とするねじり剛性が改良されたスキー又はスノーボード。
【請求項２】
前記支持体（１００）が、スキー又はスノーボードの前部（２）及び後部（３）にそれぞれ少なくとも１つの凹部（１０１）を備え、該凹部（１０１）が、関連壁部（１０１０’、１０１０’’）を有する、浮き彫り様に構成された底部（１０１０）を含むことを特徴とする請求項１に記載されたスキー。
【請求項３】
少なくとも１つの凹部（１０１）の前記底部（１０１０）が、スキー又はスノーボードの長手方向で周期的に反復する一連の上向き及び下き方向のアーチ（１０１０１）を形成することを特徴とする請求項２に記載されたスキー。
【請求項４】
前記上向き及び下向きのアーチ（１０１０１）が上ぞり区域として構成されることを特徴とする請求項３に記載されたスキー。
【請求項５】
前記上向き及び下向きのアーチ（１０１０１）が、周期的に反復されるサイン波形の上・下向きアーチとして構成されることを特徴とする請求項３に記載されたスキー。
【請求項６】
前記凹部（１０１）又はその底部（１０１０）の幅（Ｂ）が、スキー又はスノーボードの前部（２）に沿って、長手方向でのスキー又はスノーボードの幅（ｂ）の変化に応じて、最小幅（Ｂ１）から最大幅（Ｂ２）まで変化することを特徴とする請求項１から請求項５までのいずれか１項に記載されたスキー又はスノーボード。
【請求項７】
前記凹部（１０１）又はその底部（１０１０）の幅（Ｂ）が、スキー又はスノーボードの後部（３）に沿って、長手方向でのスキー又はスノーボードの幅（ｂ）の変化に応じて、最小幅（Ｂ１）から最大幅（Ｂ２）まで変化することを特徴とする請求項１から請求項５までのいずれか１項に記載されたスキー又はスノーボード。
【請求項８】
前記凹部（１０１）又はその底部（１０１０）の幅（Ｂ）が、スキー又はスノーボードの前部（２）及び後部（３）に沿って、長手方向でのスキー又はスノーボードの幅（ｂ）の変化に応じて、最小幅（Ｂ１）から最大幅（Ｂ２）まで変化することを特徴とする請求項１から請求項５までのいずれか１項に記載されたスキー又はスノーボード。
【請求項９】
前記凹部（１０１）又はその底部（１０１０）の幅（Ｂ）が、スキー又はスノーボードの前部（２）に沿って、長手方向でのスキー又はスノーボードの幅（ｂ）の変化に比例して、最小幅（Ｂ１）から最大幅（Ｂ２）まで変化することを特徴とする請求項１から請求項５までのいずれか１項に記載されたスキー又はスノーボード。
【請求項１０】
前記凹部（１０１）又はその底部（１０１０）の幅（Ｂ）が、スキー又はスノーボードの後部（３）に沿って、長手方向でのスキー又はスノーボードの幅（ｂ）の変化に比例して、最小幅（Ｂ１）から最大幅（Ｂ２）まで変化することを特徴とする請求項１から請求項５までのいずれか１項に記載されたスキー又はスノーボード。
【請求項１１】
前記凹部（１０１）又はその底部（１０１０）の幅（Ｂ）が、スキー又はスノーボードの前部（２）及び後部（３）に沿って、長手方向でのスキー又はスノーボードの幅（ｂ）の変化に比例して、最小幅（Ｂ１）から最大幅（Ｂ２）まで変化することを特徴とする請求項１から請求項５までのいずれか１項に記載されたスキー又はスノーボード。
【請求項１２】
前記支持体（１００）の各外側支持区域（１０２，１０３）の幅（Ｂ０）が、スキー又はスノーボードの前部（２）に沿って不変のままであることを特徴とする請求項１から請求項５までのいずれか１項に記載されたスキー又はスノーボード。
【請求項１３】
前記支持体（１００）の各外側支持区域（１０２，１０３）の幅（Ｂ０）が、スキー又はスノーボードの後部（３）に沿って不変のままであることを特徴とする請求項１から請求項５までのいずれか１項に記載されたスキー又はスノーボード。
【請求項１４】
前記支持体（１００）の各外側支持区域（１０２，１０３）の幅（Ｂ０）が、スキー又はスノーボードの前部（２）及び後部（３）に沿って不変のままであることを特徴とする請求項１から請求項５までのいずれか１項に記載されたスキー又はスノーボード。
【請求項１５】
スキー又はスノーボード前部（２）の支持体（１００）に設けられた関連凹部（１０１）に沿って延びる各組の前記上向き又は下向きアーチ（１０１０１）の間隔又は周期（ｔ）が不変であることを特徴とする請求項１から請求項１４までのいずれか１項に記載されたスキー又はスノーボード。
【請求項１６】
スキー又はスノーボード後部（３）の支持体（１００）に設けられた関連凹部（１０１）に沿って延びる各組の前記上向き又は下向きのアーチ（１０１０１）の間隔又は周期（ｔ）が不変であることを特徴とする請求項１から請求項１４までのいずれか１項に記載されたスキー又はスノーボード。
【請求項１７】
スキー又はスノーボードの前部（２）又は後部（３）の支持体（１００）に設けられた関連凹部（１０１）に沿って延びる各組の前記上向き又は下向きアーチ（１０１０１）の間隔又は周期（ｔ）が不変であることを特徴とする請求項１から請求項１４までのいずれか１項に記載されたスキー又はスノーボード。
【請求項１８】
スキー又はスノーボード前部（２）の支持体（１００）に設けられた関連凹部（１０１）に沿って延びる各組の前記上向き又は下向きアーチ（１０１０１）の間隔又は周期（ｔ）が漸次変化し、該間隔（ｔ）が、スキー又はスノーボードの中央部（１）から離れる方向で見て初期値（ｔ１）から最終値（ｔ２）まで漸減することを特徴とする請求項１から請求項１４までのいずれか１項に記載されたスキー又はスノーボード。
【請求項１９】
スキー又はスノーボード後部（３）の支持体（１００）に設けられた関連凹部（１０１）に沿って延びる各組の前記上向き又は下向きアーチ（１０１０１）の間隔又は周期（ｔ）が漸次変化し、該間隔（ｔ）が、スキー又はスノーボードの中央部（１）から離れる方向で見て初期値（ｔ１）から最終値（ｔ２）まで漸減することを特徴とする請求項１から請求項１４までのいずれか１項に記載されたスキー又はスノーボード。
【請求項２０】
スキー又はスノーボードの前部（２）及び後部（３）の支持体（１００）に設けられた関連凹部（１０１）に沿って延びる各組の前記上向き又は下向きアーチ（１０１０１）の間隔又は周期（ｔ）が漸次変化し、スキー又はスノーボードの中央部（１）から離れる方向に見て該間隔（ｔ）が、初期値（ｔ１）から最終値（ｔ２）まで漸減することを特徴とする請求項１から請求項１４までのいずれか１項に記載されたスキー又はスノーボード。
【請求項２１】
スキー又はスノーボード前部（２）の支持体（１００）に設けられた関連凹部（１０１）に沿って延びる各組の前記上向き又は下向きアーチ（１０１０１）の間隔又は周期（ｔ）が漸次変化し、該間隔（ｔ）が、スキー又はスノーボードの中央部（１）から離れる方向で見て初期値（ｔ１）から最終値（ｔ２）まで漸増することを特徴とする請求項１から請求項１４までのいずれか１項に記載されたスキー又はスノーボード。
【請求項２２】
スキー又はスノーボード後部（３）の支持体（１００）に設けられた関連凹部（１０１）に沿って延びる各組の前記上向き又は下向きアーチ（１０１０１）の間隔又は周期（ｔ）が漸次変化し、該間隔（ｔ）が、スキー又はスノーボードの中央部（１）から離れる方向で見て初期値（ｔ１）から最終値（ｔ２）まで漸増することを特徴とする請求項１から請求項１４までのいずれか１項に記載されたスキー又はスノーボード。
【請求項２３】
スキー又はスノーボードの前部（２）及び後部（３）の支持体（１００）に設けられた関連凹部（１０１）に沿って延びる各組の前記上向き又は下向きアーチ（１０１０１）の間隔又は周期（ｔ）が漸次変化し、該間隔（ｔ）が、スキー又はスノーボードの中央部（１）から離れる方向で見て初期値（ｔ１）から最終値（ｔ２）まで漸増することを特徴とする請求項１から請求項１４までのいずれか１項に記載されたスキー又はスノーボード。
【請求項２４】
前記支持体（１００）の各外側支持区域（１０２，１０３）の幅（Ｂ）がスキーの前部（２）及び後部（３）に沿って変化することを特徴とする請求項１から請求項５までのいずれか１項に記載されたスキー又はスノーボード。
【請求項２５】
前記凹部（１０１）の深さ、すなわち凹部（１０１）の底部（１０１０）が位置する平面と、外側支持区域（１０２，１０３）が位置する平面との間隔が、前部（２）及び／又は後部（３）に沿って変化することを特徴とする請求項１から請求項２４までのいずれか１項に記載されたスキー又はスノーボード。
【発明の詳細な説明】
【技術分野】
【０００１】
本発明は、スキー又はスノーボードに関わり、特にスキー又はスノーボードの相応の剛性、特にねじり剛性を確保する措置に関するものであり、このことは、少なくとも数実施例の場合に、前記スキー又はスノーボード表面の具体的な態様にも反映されている。
したがって、本発明の実施例は、ビンディング取り付け区域からスキー又はスノーボードの各エッジへの力の伝達をどのように改良するかという問題、言い換えると、スキー又はスノーボードの現在の曲げ特性及び寸法を阻害することなく、また特に、現在利用可能なスキー又はスノーボードの従来寸法の枠組みを阻害するような部材又は従来寸法の枠外にあるような部材を付加することなく、どのように長手軸線を中心とするねじり剛性を増強し、かつねじり変形を低減するかという問題に基づいている。
【０００２】
以下では、簡明にするために、「スキー」という語のみを用いるが、この「スキー」は「スキー及び／又はスノーボード」と同様の呼称と理解されたい。スノーボードは、スキーのように単一のショベル状部（先端）と単一の尾部とを有するのではなく、2つのショベル状部を有しているが、本発明は、スキーと全く同じようにスノーボードに好適である。
【背景技術】
【０００３】
一般に知られているように、スキーは使用時にかなりの程度の曲げ力にさらされる。加えて、当業者が間違いなく気づいているように、スキーは、少なくとも使用中の或る状況下では、特にカーブでスキーの前部及び／又は後部の内側エッジの下に基礎部材がある場合には、ねじり荷重にさらされる一方、少なくとも滑り面が主として基材からずれることがある。その場合、比較的強い力がエッジにかかり、その力が、スキー幅の半分に相応するレバーアームにより、スキーの長手方向中心軸線を中心とするねじりモーメントを発生させる。特にいわゆるカーヴィング（ｃａｒｖｉｎｇ）（エッジを利かせて向きを変える）・スキーの場合、スキー前部と後部の幅が従来のスキーよりかなり大きい。レバーアームは、それから生じるねじりモーメント同様、相応に大きくなる。これらの荷重の結果であるねじり変形は、スキーの幾何形状を変化させ、スキーの走行特性に著しい悪影響を与える。したがって、本発明の実施例の観点は、スキーの曲げ特性又は必須曲げ弾性に著しい影響を与えることなしに、前記ねじり変形を大幅に低減することである。
【０００４】
長手軸線を中心とするスキーに必要なねじり剛性を保証する一方、長手方向でスキーに必要な曲げ能力を維持する問題が、特許文献により公知の幾つかの解決策と関連して扱われてきた。
【０００５】
例えばＦＲ  １．２５４．３７７では、スキーに付加的な構造部材、すなわちスキーの側部に沿ってサイン形のストリップがスキーに組み付けられており、該ストリップは、一方では、長手方向に事実上無制限に曲げ可能であり、他方では、少なくとも振幅が十分に大きい場合、スキーの比較的高いねじり剛性が保証される。この構想自体は、実のところ、確認した問題を十分に解決可能なのだが、それを実現するには、一群の他の未解決の問題が関係してくる。使用時、前記サイン形部材の個別部分の変形が大きすぎるため、該部材をスキーの残りの構造部分に結合して、これらの部分を含めた１つの統一的な市販可能の製品を形成することができない。
【０００６】
例えば、前記サイン形部材の下端は、下部の構造部材と結合されるか、直接に滑り面及びエッジと結合される一方、上端は、スキーのビンディング取り付け用プレートを含めたスキー上面を形成するシェルに結合される。その場合、側部により、サイン形部材の上端と下端間の比較的大きいすべての相対変位は補償されるはずだが、それは事実上不可能である。加えて、ねじり剛性の十分な増大は、ストリップの曲率の振幅が十分に大きい場合にのみ保証されるが、このことは、実際には、スキーの高さをかなり高くすることを意味しており、そうしたことは概して望ましくない。
【０００７】
ＤＥ  １９９１７９９２  Ａ１では、類似の解決策が異なる形式で適用されている。特に、この場合も、可とう性、ねじり剛性双方を有する波形の補強部材が長手方向に使用されている。この補強部材は、放物線形の部材として構成されており、この放物線形の部材が、両端のところでシヌソイド形に移行するため、スキーの中央区域、つまりビンディング取り付け区域では基材から離れる方向に曲げられ、他方、スキーの前部と後部とでは、先ず基材に対して下方へ曲げられ、その後で再びスキーの先端又は尾部方へ向って上方へ曲げられ、ほぼスキーの中立軸線上で中断又は終結する。補強部材自体はストリップとして構成され、このストリップは、中央部が細くされ、スキーの前部と後部とで好ましくは拡幅されると同時に、既述のように、曲線状にされている。更に、この補強部材は中央部に開口が設けられ、該開口を通して、事実上直線状の可とう性案内部材が挿入され、該案内部材上には既述の平らな補強部材が配置されることで、案内部材が補強部材を貫通するか、既述の補強部材の波形部を貫通して延びることになる。
【０００８】
別の構成では、スキーの長手方向に延び、横方向に互いに間隔をおいた２つのロッド形状の担体が備えられ、該担体は、先述の構成でのストリップと類似の形式で事実上曲線状である。前記ロッド状の担体は、ストリップとして構成された案内部材に相応に配置された開口に差し込まれる。別の構成では、前述の形式の曲線状のロッド状担体は、相応の長手方向案内に差し込まれ、該案内がストリップとして設計された案内部材上に取り付けられている。上述の構成の各々は、スキーの長手方向の相応の中空部内に組み付け可能とされ、ねじり剛性を保証する能力と関連する諸効果のおかげで、各構成により、各スキーのエッジの全長にわたって、より一様な圧力分配が可能になるという。このことは、補強部材の曲率の振幅が十分に大きい場合には正しい。だが、その場合には、またスキーの、特に中央部の、つまりスキー・ビンディング取り付け区域の高さが著しく高くなるが、競技スキーの場合には、高さが規制されている。
【０００９】
更に、ＤＥ  １０２５４０６３又はＰＣＴ／ＤＥ２００３／００３７８８（ＷＯ２００４／０４５７２７には、この場合も、補強部材を備えたスキーが開示されているが、この補強部材は、スキーの側部に沿って延びるサイン曲線形状のストリップとして構成され、このストリップは両側に開口を備え、この開口には間隔をおいたビンディングが挿入され、該ビンディングが、同じようにスキーに沿って延び、ビンディングの各々がスキーの前部と後部とに取り付けられている。前記サイン曲線形状のストリップは、また幾分可とう性であり、この場合、前記ビンディングが、必要な曲げ剛性を保証するためにスキーに相応の予圧を与えている。加えて、サイン曲線形状のストリップにより一定のねじり剛性が保証されるが、保証されるのは、この場合も、サイン曲線の曲率の振幅が十分に大きい場合のみである。その場合にも、またスキーの高さの増大は避けられず、そのため、スキーの高さは、通常、市場が関心をもつ市販の従来のスキーの高さを、スキーの全長にわたって著しく上回っている。
【００１０】
更に、ＥＰ  １１６６８３２  Ａ１では、横平面で見てスキー全長にわたって上部に、言い換えるとスキーの上面の下に、各横断面の中立曲げ軸線から或る距離のところに平らな補強部材を取り付きたスキーが扱われている。この補強部材は積層シェルの下に取り付けられ、該シェルは、合成樹脂で含漬され、スキーの中央部にのみ間隔をおいた２つの長手方向リブを含み、該リブが、それぞれ横断面で見て上方へＶ字形又はＵ字形に上方へ曲げられている。金属製の前記補強部材は、スキーの前部と後部とでは広幅で、中央部では狭幅である。いずれにしても、スキーの中央部に前記リブが存在することは、例えばスキー中央部の曲げ剛性を高める影響がある。また、いずれにしても、前記金属製補強部材が存在することで、スキーの前部と後部の幅が大きいことも考慮に入れると、スキー重量がかなり増大するが、スキーの前部と後部のねじり剛性を改善することには大して寄与しない。
【００１１】
特許文献でも論議されているこれらの解決策のほかに、先行技術により現在利用可能な少数の別の解決策がある。それらの中で最も重要なものを、以下で本発明の実施例の１つとの関連で説明する。
【発明の開示】
【課題を解決するための手段】
【００１２】
本発明の実施例の態様は、ねじり剛性が改善されたスキー又はスノーボードに関するものである。すなわち、
スキーの場合は、スキー上面の中央部に、スキー・ビンディングの取り付け箇所が設けられるか、又はスキー・ビンディングを調節可能に取り付けるための集成体の少なくとも一部が組み付けられ、中央部前方に位置するスキー前部はショベル状部（先端）と一体化される一方、中央部の後方に位置する後部はスキーの尾部と一体化されており、かつまたスキーは、基材とは反対側の、エッジ間の位置に配置された滑り面を含み、滑り面上には相応数の支持層からなる下方支持集成体が備えられ、支持層上にはコアが配置され、該コアが、任意に関連側壁及び／又は表層により取り囲まれることで望ましくない外部の影響や機械的な損傷から保護されており、更に、スキーの幅が中央部ではスキーの前部及び後部でより狭くされており、あるいは
スノーボードに関しても同様であり、この場合には、既に述べた特性を考慮に入れた上、後部には、スキーの場合ように尾部が設けられるか、又はスキーの尾部の代わりに付加的なショベル状部が設けられている。
【００１３】
本発明の実施例の態様によるスキー又はスノーボードは、コア上に浮き彫り様の形式で一様に配置された支持体を含み、この支持体の部材、つまり外側支持区域と相応数の凹部とが、各凹部の底部を含めて、少なくとも２平面内に配置され、しかも、該平面の少なくとも一方の平面が中立曲げ軸線の近くに位置するか、又は中立曲げ軸線と合致するかし、また他方の単数又は複数の平面は、基材から離れる方向で中立曲げ軸線から或る距離をおいて位置し、更にこの場合、前記支持体がスキーの前部及び後部に、又は同じようにスノーボードの少なくとも中央部に、少なくとも１つの凹部を備える一方、横の支持区域が、スキーの前部及び後部にわたって延びると同様に中央部にわたって延びている。
【００１４】
前記支持体は、スキー又はスノーボードの前部及び後部に少なくとも１つの凹部を備え、該凹部には、関連壁部を有し浮き彫り様に設計された底部が含まれ、しかも、この少なくとも１つの凹部の底部が、スキー又はスノーボードの長手方向に周期的に反復する１組の上向き又は下向きのアーチを形成し、該アーチが、上ぞり区域として構成されるか、又は周期的に反復上下するサイン波形のアーチとして構成されている。
凹部又はその底部の幅は、スキー又はスノーボードの幅の変化と同じように、又は幅の変化に比例して最小幅から最大幅まで長手方向にスキー又はスノーボードの前部及び／又は後部に沿って変化できる。
支持体の各外側支持区域の幅は、スキー又はスノーボードの前部及び／又は後部に沿って可変にも不変にもできる。
【００１５】
１組の上向き又は下向きアーチの間隔又は周期は、スキー又はスノーボードの各部でのスキーの関連凹部に沿って不変でも徐々に可変にしてもよく、スキー又はスノーボードの中央部から離れる方向で見て、初期値から最終値は向って漸減する。
凹部の深さ、すなわち、凹部の底部平面と支持区域が位置する平面との距離もまた、スキーの前部及び／又は後部に沿って可変にすることができる。
以下で、本発明の実施例の態様を図示の構成例により説明する。
【実施例】
【００１６】
図１に斜視図で示したスキーは、基本的に中央部１と、前部２と、後部３とから成っている。スキー幅ｂは、中央部１で最小であり、漸次かつ連続的にスキーの前部２と後部３にわたって、前部２では、いわゆるショベル状部２１まで、後部３では尾部３１まで、それぞれ増大している。
図２にはスキーの、特に中央部１の断面が示されており、図示の構成では、集成体４が、スキー・ビンディングの調節可能な取り付け用に備えられ、その一部が既にスキー自体に組み込まれている。
【００１７】
本発明の実施例の態様をより良く理解するために、特許文献に記載の先行技術による既述の解決策に加えて、図３にも、スキーの既に公知の解決策を示してある。この場合、スキー・ビンディング取り付け用の集成体４が中央部１に組み付けられている。この種のスキーは、エッジ５１，５２を有する滑り面５を含み、エッジの上及び間には支持組立体６が配置され、該組立体は、例えば積層版、薄板金、相応の機械特性を有する他の材料のいずれかで構成されている。集成体６の上には、関連側壁７１，７２を備えたコア７が配置されている。コア７の上には上部支持組立体８が配置され、該組立体は、好ましくは積層部から成るが、大抵は恐らく金属その他の支持層８１，８２，８３から成っている。この支持集成体８の上には表層９が配置され、下に配置された構成部材及び組立体を好ましくない天候その他の影響や機械的な損傷から保護している。同時に、表層は、スキーに相応の外観を与えることにも役立っている。
【００１８】
前記組立体４の組み付けが要求される場合、スキーは中央部１にプレート１０を備え、図示の例では、このプレートに組立体４が組み付けられ、該プレートは、したがって支持部材、すなわち支持組立体６，８の上方に配置されており、支持組立体はコア７によって互いに隔てられている。これにより、前記組立体４が組み付けられているにもかかわらずスキーの相応の曲げ剛性が維持される。この解決策では、スキー・ビンディング取り付け区域と各関連エッジ５１，５２との間隔、すなわち図示の例では組立体４と各関連エッジ５１，５２との間隔が比較的大きいので、足又は靴からエッジ５１，５２への力の伝達が、一連の構造部材全体によって著しく阻害される可能性がある。その結果、エッジ５１，５２への要求圧力を維持するために、ひいてはスキーを所望位置に維持するためにエッジ５１，５２に加え得る力は、特に、コア７の上下に配置された多層支持組立体６，８から成る構成では十分には阻止できない大きいねじり変形が生じる場合には、不十分となることが多い。
【００１９】
本発明の実施例の態様によりスキーの場合、図３の断面と同じように、断面２で構成されているが、図２では、上部支持組立体８が一体のシェル状支持体１００に代えられ、該支持体１００はコア７上に、かつまた任意に表層９の下に配置されており、これによってスキー・ビンディング取り付け用の組立体４の組み付けも可能になる。
本発明の実施例の態様によるスキーは、したがって、又は更に、エッジ５１，５２を有する滑り面５と、相応数の積層材６１，６２から成る下部支持組立体６とを含み、該組立体の上には関連側壁７１，７２を有するコア７が配置されている。コア７と関連側壁７１，７２の上には支持体１００が配置され、該支持体は、相応に付形された薄板金、相応のプレート、積層体、金属ないし非金属の似たような平らな半製品のいずれか製の単一の全体として構成されている。
【００２０】
支持体１００は、コア７及び側壁７１，７２と剛性結合され、既述のように、単一の全体として構成されており、この場合、その２つの支持区域は少なくとも２つの平面内に位置している。支持体１００は、すなわち、少なくともスキーの前部２と後部３各々に少なくとも１つの凹部１０１を含み、該凹部がコア７の上に位置し、かつ中立曲げ軸線に近く又は該軸線自体上に位置している。この場合、支持体１００は、スキーの中央部１、前部２、後部３にわたって延在する外側支持区域１０２，１０３を含んでおり、該支持区域は各々、側壁７１，７２の上に配置され、中立曲げ軸線から相応の距離のところに位置している。
【００２１】
支持体の外側支持区域１０２，１０３は平坦で滑らかでよいが、また概して別の構成でもよい。この場合、該支持区域は、事実上、スキーの上面にわたって延び、かつ長手方向でスキーの全長にわたり、特にスキーの尾部３１からショベル状部２１まで、またその逆に延び、言い換えるとスキーの中央部１、前部２、後部３の全体にわたって延びている。したがって、支持体１００の各外側支持区域１０２，１０３の幅Ｂ０（図８〜図１２）は、大雑把に言って、長手方向に不変にも可変にもでき、特に、例えばスキー前部２に沿ってショベル状部２１に向って、又は後部３に沿ってスキー尾部３１へ向って、漸増又は漸減するようにすることができる。
【００２２】
支持体１００の前記凹部１０１は、関連壁部１０１０’、１０１０’’を有する底部１０１０から成り、この場合、この凹部１０１の形状、特にその底部の形状は、簡単な形式で驚くほど効率的であり、支持体１００の、ひいてはスキー全体の曲げ剛性に対し、それ以上に特にねじり剛性に対して、驚くほど大きな効果を有している。
前記凹部１０１又はその底部１０１０の幅Ｂは、スキーの長手方向で、つまりスキーの前部２及び後部３に沿って幅Ｂ１から幅Ｂ２まで、特にスキーの幅ｂの変化につれて変化するか（図８）、又は別の形式で、好ましくは、スキーの幅ｂの変化に比例してスキーの前部２及び後部３に沿って変化する（図９〜図１２）。
凹部１０１の底部１０１０は、本発明の実施例の態様によれば、浮き彫り様に構成されており、この場合、凹部１０１０は、スキーのそれぞれ前部２又は後部３に沿って１組の周期的に反復される上向きと下向きのアーチ１０１０１を形成し、これらのアーチが上ぞり区域、シヌソイド波形、その他の別の形態のいずれかとして構成される。
【００２３】
支持体１００上の各凹部１０１内にスキーの前部２又は後部３に沿って延びる各組の上向き及び下向きのアーチ１０１０１の間隔又は周期ｔは、不変でもよいが、長手方向に漸次変化させてもよい。言い換えると、スキーの中央部１からショベル状部２１又は尾部３１へ向う方向、又はその逆の方向で見て、初期値ｔ１から最終値ｔ２まで増減させてもよい。
【００２４】
図５に示した実施例の場合、上・下向きのアーチ１０１０１がシヌソイド波形として構成される一方、スキーに沿った周期又は間隔ｔは、スキーの前部２と後部３とも不変である。
【００２５】
図６に示した実施例の態様では、上・下向きのアーチ１０１０１がシヌソイド波形として構成される一方、スキーに沿った周期又は間隔ｔは可変である。この場合、間隔ｔは、中央部１から後部３に沿ってスキー尾部３１へ向って、また前部２からショベル状部２１へ向って、それぞれ最小値ｔ１から最大値ｔ２まで増大する。
【００２６】
図７に示した実施例の態様では、上・下向きのアーチ１０１０１がシヌソイド波形として構成される一方、スキーに沿った周期又は間隔ｔは可変である。この場合、間隔ｔが、中央部１から後部３に沿ってスキー尾部３１へ向って、また前部２からショベル状部２１へ向って、それぞれ最小値ｔ１から最大値ｔ２まで増大又は減少する。
【００２７】
図８に示したスキー構造の実施例の場合、支持区域１０２，１０３は同一平面に位置する一方、凹部１０１の底部１０１０は別の平面に位置している。凹部１０１の幅Ｂは、スキーに沿って変化し、特に、中央部１の初期幅Ｂ１から前部２に沿ってショベル状部２１へ向って、又は後部３に沿ってスキー尾部３１へ向って、それぞれ最大値Ｂ２まで増大する形式で変化する。この場合、支持区域１０２，１０３の幅Ｂ０は、基本的に不変であるが、変えることもできる。
【００２８】
図９に示したスキー構造の実施例では、支持区域１０２，１０３が同一平面内に設けられる一方、凹部１０１の底部１０１０は別の平面内に位置している。
凹部１０１の幅は、スキーに沿って変化し、特に、中央部１の初期幅Ｂ１から前部２に沿ってショベル状部２１へ向って、また後部３に沿ってスキー尾部３１へ向ってそれぞれ最大値Ｂ２まで増大する形式で変化する。この場合、支持区域１０２，１０３の幅Ｂ０は、少なくとも基本的に不変であるが、変えてもよい。凹部１０１の底部１０１０は、サイン形状に構成された上・下向きのアーチ１０１０１を備えており、アーチの間隔ｔは、中央部１から離れる方向でスキーに沿って、図６の間隔に似て初期値ｔ１から最終値ｔ２まで増大する。
【００２９】
図１０に示したスキー構造の実施例の場合、支持区域１０２，１０３は、同一平面内に位置する一方、凹部１０１の底部１０１０は別の平面内に位置している。凹部１０１の幅Ｂは、スキーに沿って変化し、特に、中央部１の初期幅Ｂ１から前部２に沿ってショベル状部２１へ向って、また後部３に沿ってスキー尾部３１の最大値Ｂ２へ向ってそれぞれ増大する形式で変化する。この場合、支持区域１０２，１０３の幅Ｂ０は、少なくとも基本的に不変であるが、変えることもできる。凹部１０１の底部１０１０は上・下向きのアーチ１０１０１を備え、該アーチが、周期的に反復する上ぞり部として構成され、その場合、その間隔ｔは、中央部１から離れる方向でスキーに沿って、図６の場合に似て、初期値ｔ１から最終値ｔ２まで増大する。
【００３０】
図１１に示したスキー構造の実施例では、支持区域１０２，１０３は、同一平面内に位置する一方、凹部の底部１０１０は別の平面内に位置している。凹部１０１の幅Ｂは、スキーに沿って変化し、特に、中央部１での初期幅Ｂ１から、前部２に沿ってショベル状部２１へ向って、また後部３に沿ってスキー尾部３１へ向って、それぞれ最大値Ｂ２まで増大する形式で変化する。この場合、支持区域１０２，１０３の幅Ｂ０は、少なくとも事実上不変であるが、変えることもできる。凹部１０１の底部１０１０は上・下向きのアーチ１０１０１を備え、該アーチがシヌソイド波形として構成されており、その場合、間隔ｔは、中央部１から離れる方向でスキーに沿って、図６の場合に似て、初期値ｔ１から最終値ｔ２まで増大する。この場合、凹部１０１の深さ、すなわち支持区域１０２，１０３が設けられている平面と底部１０１の平面との距離は、中央部から離れる方向で漸減する。
【００３１】
図１２に示したスキー構造の実施例の場合、支持区域１０２，１０３は、同一平面内に位置する一方、凹部１０１の底部１０１０は別の平面内に位置している。凹部１０１の幅Ｂは、スキーに沿って変化し、特に、中央部１での初期幅Ｂ１から前部２に沿ってショベル状部２１へ向って、また後部３に沿ってスキー尾部３１へ向ってそれぞれ最大値Ｂ２まで増大する形式で変化する。この場合、支持区域１０２，１０３の幅Ｂ０は、少なくとも事実上不変であるが、変えることもできる。凹部１０１の底部１０１０は上・下向きのアーチ１０１０１を備え、該アーチが周期的に反復する上ぞり部として構成されており、その場合、スキーに沿った間隔ｔは、中央部１から離れる方向で、図６の場合に似た形式で、初期値ｔ１から最終値ｔ２まで増大する。この場合、凹部１０１の深さ、すなわち支持区域１０２，１０３が位置する平面と底部１０１の平面との間隔は、中央部から離れる方向で漸減する。
【００３２】
支持体１００の組み付け又は存在のおかげで、本発明の実施例によるスキーは数多くの利点を特徴として有している。一方で、支持体１００を有するスキーは、アルペンスキー競技用のカーヴィング・スキー又は伝統的なスキーとして、同じようにフリースタイルのスキー又は、水上スキーを含む他の何らかの種類のスキーとしても容易に構成でき、更にスキー・ビンディング位置決め用の組み付け集成体４を備えたスキーとしても、備えないスキーとしても構成できる。更に、このスキーの場合、例えば美的な理由その他の理由で支持体１００の上に容易に表層を付加することができるが、このことは、どうしても必要というわけではない。
【００３３】
しかし、特に重要な点は、支持体１００の構成、特にスキーの前部２及び後部３に設けられている凹部１０１の底部１０１０の間隔及び外側支持区域１０２，１０３の間隔、また特に幅Ｂ０に関わる外側支持区域１０２，１０３の構成、更にスキーの前部２及び後部３と底部１０１０とに沿った幅Ｂ，Ｂ１，Ｂ２を含む凹部１０１の構成、それも、可変又は不変の間隔又は周期ｔ，ｔ１，ｔ２でスキーに沿って上ぞり形状又はシヌソイド形で延びる上・下向きのアーチ１０１０１の構造自体を考慮に入れた構成により、全体としてのスキーの曲げ剛性及びねじり剛性を選択し調節する極めて広範囲の可能性が得られる点である。特に支持体１００を備えていることの有利な効果は、スキー・ビンディングの取り付け区域から、つまり支持体１００から、各関連スキー・エッジ５１，５２までの力の伝達距離が著しく短くなったことに明確に現れている。これは、スキーの前部２及び後部３に沿った支持体１００の各凹部１０１の底部１０１０の距離が比較的短いからである。支持体１００が、ねじりと曲げの点で相応に剛性であるため、スキーの前部２及び後部３の各エッジ５１，５２に加わる圧縮力は相応に大である。
【００３４】
スノーボードの場合、支持体１００の組み付け効果は、スキーの場合に説明した効果と同様である。
【図面の簡単な説明】
【００３５】
【図１】本発明の実施例によるスキーの斜視図。
【図２】スキー・ビンディングの調節可能な取り付け用の造り付け組立体を備えた、本発明の実施例によるスキー構造の例で、スキー中央部の断面図。
【図３】先行技術によるスキーの断面図。
【図４】図１の破線内の部分Ａの詳細図。
【図５】本発明の実施例によるスキーの可能な例の１つを示す略示従断面図。
【図６】本発明の実施例によるスキーの可能な別の例を示す略示従断面図。（実施例３）
【図７】本発明の実施例によるスキーの別の例を示す略示従断面図。
【図８】本発明の実施例によるスキーの可能な例の１つを示す略示斜視図。
【図９】本発明の実施例によるスキーの別の例を示す略示斜視図。
【図１０】本発明の実施例によるスキーの別の例を示す略示斜視図。
【図１１】本発明の実施例によるスキーの別の例を示す略示斜視図。
【図１２】本発明の実施例によるスキーの別の例を示す略示斜視図。
【符号の説明】
【００３６】
１  スキーの中央部
２  スキーの前部
３  スキーの後部
４  ビンディング取り付け用の組立体
５  スキーの滑り面
６  下部支持組立体
７  コア
８  上部支持組立体
９  表層
１０  組立体４を組み付けるためのプレート
２１  スキーのショベル状部（先端）
３１  スキーの尾部
５１，５２  スキーのエッジ
６１，６２  積層
７１，７２  コアの側壁
８１，８２，８３  支持層
１００  シェル状の支持体
１０１  凹部
１０２，１０３  外側支持区域
１０１０  凹部の底部
１０１０１  上・下向きのアーチ
【図１】
2009501610.tif 000003
【図２】
2009501610.tif 000004
【図３】
2009501610.tif 000005
【図４】
2009501610.tif 000006
【図５】
2009501610.tif 000007
【図６】
2009501610.tif 000008
【図７】
2009501610.tif 000009
【図８】
2009501610.tif 000010
【図９】
2009501610.tif 000011
【図１０】
2009501610.tif 000012
【図１１】
2009501610.tif 000013
【図１２】
2009501610.tif 000014
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
ねじり剛性が改良されたスキー又はスノーボード、それも、スキーの場合には、中央部（１）の上面にスキー・ビンディング取り付け用の箇所が設けられるか、又はスキー・ビンディングの調節可能な取り付け用集成体の少なくとも一部が造り付けになっており、
中央部（１）の前方に位置するスキー前部（２）がショベル状部（２１）に続く一方、中央部（１）の後方に位置する後部（３）がスキー尾部（３１）に続いており、
基材に面する側に、それもエッジ（５１，５２）の間に滑り面（５）が配置され、該滑り面上には相応数の支持層（６１，６２）から成る下部支持組立体（６）が配置され、該支持組立体上にはコア（７）が配置され、該コアが、任意に関連側壁（７１，７２）及び／又は表層（９）により取り囲まれ、不都合な外的影響及び機械的損傷から保護され、
更に中央部（１）でのスキー幅（ｂ）がスキーの前部（２）及び後部（３）でより小さくされており、
またスノーボードの場合には、前記の形式に準じて構成され、既述の諸特性が考慮され、後部（３）にはスキー同様に尾部（３１）が設けられるか、又は尾部（３１）の代わりにショベル状部（３１）が付加されており、
前記スキーが、コア（７）上に一様かつ浮き彫り様形式で設けられた支持体（１００）を含み、該支持体の構成要素、すなわち外側支持区域（１０２，１０３）と、底部（１０１０）を有する相応数の各凹部（１０１）とが少なくとも２平面内に配置され、しかも、
該２平面の少なくとも一方の平面が中立曲げ軸線近く位置するか、又は該中立曲げ軸線と合致しており、他方、残りの平面又は他方の複数平面は、基材から離れる方向で中立曲げ軸線から或る距離のところに位置しており、更に
前記支持体（１００）が、スキーの前部（２）及び後部（３）に、又は同じようにスノーボードの少なくとも中央部（１）に、それぞれ少なくとも１凹部を有する一方、側部の支持区域（１０２，１０３）が、スキーの中央部（１）にも、前部（２）及び後部（３）にわたって延びるのと同様に延びており、
前記支持体（１００）が、スキー又はスノーボードの前部（２）及び後部（３）にそれぞれ少なくとも１つの凹部（１０１）を備え、該凹部が関連壁部（１０１０’，１０１０’’）を有する、浮き彫り様に構成された底部（１０１０）を含み、更に
少なくとも１つの凹部（１０１）の前記底部（１０１０）が、スキー又はスノーボードの長手方向で周期的に反復する１組の上向き及び下向きのアーチ（１０１０１）を形成し、
前記上向き及び下向きのアーチ（１０１０１）が上ぞり区域として構成されている形式のものにおいて、
前記上向き及び下向きのアーチ（１０１０１）が、周期的に反復されるサイン波形の上向き及び下向きのアーチとして構成されている、ねじり剛性が改善されたスキー又はスノーボード。
【請求項２】
前記凹部（１０１）又はその底部（１０１０）の幅（Ｂ）が、スキー又はスノーボードの前部（２）に沿って、長手方向でのスキー又はスノーボードの幅（ｂ）の変化に比例して、最小幅（Ｂ１）から最大幅（Ｂ２）まで変化することを特徴とする請求項１に記載されたスキー又はスノーボード。
【請求項３】
前記凹部（１０１）又はその底部（１０１０）の幅（Ｂ）が、スキー又はスノーボードの後部（３）に沿って、長手方向でのスキー又はスノーボードの幅（ｂ）の変化に比例して、最小幅（Ｂ１）から最大幅（Ｂ２）まで変化することを特徴とする請求項１に記載されたスキー又はスノーボード。
【請求項４】
前記凹部（１０１）又はその底部（１０１０）の幅（Ｂ）が、スキー又はスノーボードの前部（２）及び後部（３）に沿って、長手方向でのスキー又はスノーボードの幅（ｂ）の変化に比例して、最小幅（Ｂ１）から最大幅（Ｂ２）まで変化することを特徴とする請求項１に記載されたスキー又はスノーボード。
【請求項５】
前記支持体（１００）の各外側支持区域（１０２，１０３）の幅（Ｂ０）が、スキー又はスノーボードの前部（２）に沿って不変であることを特徴とする請求項１に記載されたスキー又はスノーボード。
【請求項６】
前記支持体（１００）の各外側支持区域（１０２，１０３）の幅（Ｂ０）が、スキー又はスノーボードの後部（３）に沿って不変であることを特徴とする請求項１に記載されたスキー又はスノーボード。
【請求項７】
前記支持体（１００）の各外側支持区域（１０２，１０３）の幅（Ｂ０）が、スキー又はスノーボードの前部（２）及び後部（３）に沿って不変であることを特徴とする請求項１に記載されたスキー又はスノーボード。
【請求項８】
スキー又はスノーボードの前部（２）の支持体（１００）の関連凹部（１０１）に沿って延びる各組の前記上向き又は下向きのアーチ（１０１０１）の間隔又は周期（ｔ）が、不変であることを特徴とする請求項１から請求項７までのいずれか１項に記載されたスキー又はスノーボード。
【請求項９】
スキー又はスノーボードの後部（３）の支持体（１００）の関連凹部（１０１）に沿って延びる各組の前記上向き又は下向きのアーチ（１０１０１）の間隔又は周期（ｔ）が、不変であることを特徴とする請求項１から請求項７までのいずれか１項に記載されたスキー又はスノーボード。
【請求項１０】
スキー又はスノーボードの前部（２）又は後部（３）の支持体（１００）の関連凹部（１０１）に沿って延びる各組の前記上向き又は下向きのアーチ（１０１０１）の間隔又は周期（ｔ）が、不変であることを特徴とする請求項１から請求項７までのいずれか１項に記載されたスキー又はスノーボード。
【請求項１１】
スキー又はスノーボード前部（２）の支持体（１００）の関連凹部（１０１）に沿って延びる各組の前記上向き又は下向きのアーチ（１０１０１）の間隔又は周期（ｔ）が漸次変化し、スキー又はスノーボードの中央部（１）から離れる方向で見た場合、該間隔（ｔ）が初期値（ｔ１）から最終値（ｔ２）まで漸減することを特徴とする請求項１から請求項７までのいずれか１項に記載されたスキー又はスノーボード。
【請求項１２】
スキー又はスノーボードの後部（３）の支持体（１００）の関連凹部（１０１）に沿って延びる各組の前記上向き又は下向きのアーチ（１０１０１）の間隔又は周期（ｔ）が漸次変化し、スキー又はスノーボードの中央部（１）から離れる方向で見た場合、該間隔（ｔ）が初期値（ｔ１）から最終値（ｔ２）まで漸減することを特徴とする請求項１から請求項７までのいずれか１項に記載されたスキー又はスノーボード。
【請求項１３】
スキー又はスノーボードの前部（２）及び後部（３）の支持体（１００）の関連凹部（１０１）に沿って延びる各組の前記上向き又は下向きのアーチ（１０１０１）の間隔又は周期（ｔ）が漸次変化し、スキー又はスノーボードの中央部（１）から離れる方向に見た場合、該間隔（ｔ）が、初期値（ｔ１）から最終値（ｔ２）まで漸減することを特徴とする請求項１から請求項７までのいずれか１項に記載されたスキー又はスノーボード。
【請求項１４】
スキー又はスノーボードの前部（２）の支持体（１００）に設けられた関連凹部（１０１）に沿って延びる各組の前記上向き又は下向きのアーチ（１０１０１）の間隔又は周期（ｔ）が漸次変化し、それによりスキー又はスノーボードの中央部（１）から離れる方向で見た場合、前記間隔（ｔ）が、初期値（ｔ１）から最終値（ｔ２）まで漸増することを特徴とする請求項１から請求項７までのいずれか１項に記載されたスキー又はスノーボード。
【請求項１５】
スキー又はスノーボードの後部（３）の支持体（１００）の関連凹部（１０１）に沿って延びる各組の前記上向き又は下向きのアーチ（１０１０１）の間隔又は周期（ｔ）が漸次変化し、スキー又はスノーボードの中央部（１）から離れる方向で見た場合、該間隔（ｔ）が初期値（ｔ１）から最終値（ｔ２）まで漸増することを特徴とする請求項１から請求項７までのいずれか１項に記載されたスキー又はスノーボード。
【請求項１６】
スキー又はスノーボードの前部（２）及び後部（３）の支持体（１００）の関連凹部（１０１）に沿って延びる各組の前記上向き又は下向きのアーチ（１０１０１）の間隔又は周期（ｔ）が漸次変化し、スキー又はスノーボードの中央部（１）から離れる方向に見た場合、該間隔（ｔ）が初期値（ｔ１）から最終値（ｔ２）まで漸増することを特徴とする請求項１から請求項７までのいずれか１項に記載されたスキー又はスノーボード。
【請求項１７】
前記支持体（１００）の各外側支持区域（１０２，１０３）の幅（Ｂ０）がスキーの前部（２）及び後部（３）に沿って変化することを特徴とする請求項１に記載されたスキー又はスノーボード。
【請求項１８】
前記凹部（１０１）の深さ、すなわち凹部（１０１）の底部（１０１０）が位置する平面と、外側支持区域（１０２，１０３）が位置する平面との間隔が、前部（２）及び／又は後部（３）に沿って変化することを特徴とする請求項１から請求項１７までのいずれか１項に記載されたスキー又はスノーボード。
【国際調査報告】
2009501610.tif 000015
2009501610.tif 000016
2009501610.tif 000017
2009501610.tif 000018
2009501610.tif 000019
2009501610.tif 000020